(57)【特許請求の範囲】
【請求項１】
メモリを有するＩＣモジュールを搭載したＩＣカードの前記メモリにＩＤコードを記録して前記ＩＣカードを患者に配布し、度数精算装置により前記ＩＣカードの前記メモリにテレビの視聴度数及び累積購入度数を記録し、前記テレビと接続ケーブルで接続されたリモートコントローラに前記ＩＣカードを装着して、前記テレビの視聴及び遠隔操作を可能とした医療用テレビ視聴システムであって、
前記度数精算装置は、
金銭投入口及び金銭返却口を有する金銭処理部と、
希望の購入度数その他の度数精算条件を入力するためのキーボードと、
前記ＩＣカードの挿排出口を有し、前記挿排出口から挿入された前記ＩＣカードの前記メモリに、前記金銭投入口から投入された金銭額及び前記キーボードから入力された購入度数に基づく前記テレビの視聴度数、並びに過去の所定期間の累積購入度数を記録するリーダーライタ部と、
前記キーボードから度数を返却する旨の情報が入力されたときに、前記挿排出口から挿入された前記ＩＣカードの前記メモリに記録された視聴度数を前記リーダーライタ部で読み取り、その視聴度数に相当する金銭額を前記金銭返却口から払い戻す返却精算処理部とを備え、
前記リモートコントローラは、
前記ＩＣカードの挿排出口を有し、前記挿排出口から挿入された前記ＩＣカードの前記メモリに記録された視聴度数の読み取り及び書き換えを行うリーダーライタ部と、
前記テレビの電源のオン／オフ、チャンネルの変更及び音量の調節が可能な操作部と、
前記テレビの音声を出力するスピーカと、
前記ＩＣカードの視聴度数を表示する度数表示部と、
前記挿排出口から有効な前記ＩＣカードが挿入されたと判別したときに前記テレビを視聴可能状態とし、前記テレビが視聴されたときはその視聴時間をカウントし、前記リーダーライタ部で読み取った前記メモリの累積購入度数に基づく度数減算率により前記テレビの視聴時間に応じて前記ＩＣカードの視聴度数の精算処理を行い、前記ＩＣカードの視聴度数がなくなったと判断したときは前記テレビを視聴不可状態にし、また、前記操作部により前記テレビの治療情報チャンネルが選択された場合には、前記ＩＣカードの前記メモリに治療情報が記録されているときは前記リーダーライタ部で読み取った前記治療情報、又は前記テレビ側に予め準備された治療情報のうち前記ＩＣカードの前記メモリに記録された前記ＩＤコードに基づいて選定した前記治療情報を前記テレビに出力するように制御する制御部とを備える
ことを特徴とする医療用テレビ視聴システム。
【請求項２】
請求項１に記載の医療用テレビ視聴システムにおいて、
前記リモートコントローラの前記制御部は、
前記操作部により前記テレビの宣伝広告情報チャンネルが選択された場合には、前記ＩＣカードの前記メモリに宣伝広告情報が記録されているときは前記リーダーライタ部で読み取った前記宣伝広告情報、又は前記テレビ側に予め準備された宣伝広告情報を前記テレビに出力するとともに、その宣伝広告情報の視聴に応じて前記ＩＣカードの前記メモリの視聴度数を前記リーダーライタ部により加算するように制御する
ことを特徴とする医療用テレビ視聴システム。
【請求項３】
請求項１又は請求項２に記載の医療用テレビ視聴システムにおいて、
前記ＩＣカードの前記メモリに、入院日、病名、服用薬、診察時間その他の診察情報を記録し、
前記リモートコントローラの前記制御部は、前記操作部により前記テレビの診察情報チャンネルが選択された場合には、前記診察情報を前記リーダーライタ部で読み取って前記テレビに出力するように制御する
ことを特徴とする医療用テレビ視聴システム。
【発明の詳細な説明】
【０００１】
【発明の属する技術分野】
本発明は、病院等に適用され、ＩＣカードを患者に配布し、そのＩＣカードを用いて入院部屋等に設置されたテレビの視聴を可能とした医療用テレビ視聴システムに関するものである。
【０００２】
【従来の技術】
従来、例えば病院の入院部屋に設置されたテレビを患者が視聴する場合に、リモートコントローラでテレビの遠隔操作を可能とした技術が本件出願人により提案されている（特開平８−２０１４３４号公報）。
この技術では、電源ＯＮ−ＯＦＦ手段、チャンネル変更手段、音量調整手段及び音声発生手段等をリモートコントローラに設け、このリモートコントローラを接続ケーブルでテレビに接続し、テレビの視聴度数が予め記録された磁気カードをリモートコントローラに装着し、磁気カードの度数の範囲内でテレビの視聴を可能としたものである。そして、リモートコントローラは、視聴時間に応じて磁気カードの度数を減算し、残り度数が０になったときは、テレビを視聴不可状態にするとともに、その磁気カードをリモートコントローラから排出する。
【０００３】
【発明が解決しようとする課題】
しかし、前述の従来の技術では、磁気カードの磁気記録部の記憶データ容量は、数１０バイト程度であるので、上述したテレビの視聴度数のような小さいデータしか記録することができず、磁気カード及びリモートコントローラの用途をさらに拡大するには一定の限界があった。
一方、病院の入院部屋等では、入院患者一人一人にそれぞれ専用のテレビを備えている場合が多く、患者は、入院することで必然的にテレビを視聴する機会が多くなるが、患者の入院日数やその他の事情によって、患者ごとのテレビの視聴可能時間に差を設けたいという要請がある。
さらに、民間放送以外に、治療や診察その他の情報をテレビを通じて患者に提供したいという要請がある。
【０００４】
したがって、本発明が解決しようとする課題は、前述の本件出願人による先行技術をさらに改良し、患者がカードを用いてテレビを視聴できるとともに、患者ごとのテレビの視聴可能時間に差を設けることができ、かつ治療や診察等の情報をテレビで視聴できるようにすることである。
【０００５】
【課題を解決するための手段】
上述の課題を解決するために、請求項１の発明は、メモリを有するＩＣモジュールを搭載したＩＣカードの前記メモリにＩＤコードを記録して前記ＩＣカードを患者に配布し、度数精算装置により前記ＩＣカードの前記メモリにテレビの視聴度数及び累積購入度数を記録し、前記テレビと接続ケーブルで接続されたリモートコントローラに前記ＩＣカードを装着して、前記テレビの視聴及び遠隔操作を可能とした医療用テレビ視聴システムであって、前記度数精算装置は、金銭投入口及び金銭返却口を有する金銭処理部と、希望の購入度数その他の度数精算条件を入力するためのキーボードと、前記ＩＣカードの挿排出口を有し、前記挿排出口から挿入された前記ＩＣカードの前記メモリに、前記金銭投入口から投入された金銭額及び前記キーボードから入力された購入度数に基づく前記テレビの視聴度数、並びに過去の所定期間の累積購入度数を記録するリーダーライタ部と、前記キーボードから度数を返却する旨の情報が入力されたときに、前記挿排出口から挿入された前記ＩＣカードの前記メモリに記録された視聴度数を前記リーダーライタ部で読み取り、その視聴度数に相当する金銭額を前記金銭返却口から払い戻す返却精算処理部とを備え、前記リモートコントローラは、前記ＩＣカードの挿排出口を有し、前記挿排出口から挿入された前記ＩＣカードの前記メモリに記録された視聴度数の読み取り及び書き換えを行うリーダーライタ部と、前記テレビの電源のオン／オフ、チャンネルの変更及び音量の調節が可能な操作部と、前記テレビの音声を出力するスピーカと、前記ＩＣカードの視聴度数を表示する度数表示部と、前記挿排出口から有効な前記ＩＣカードが挿入されたと判別したときに前記テレビを視聴可能状態とし、前記テレビが視聴されたときはその視聴時間をカウントし、前記リーダーライタ部で読み取った前記メモリの累積購入度数に基づく度数減算率により前記テレビの視聴時間に応じて前記ＩＣカードの視聴度数の精算処理を行い、前記ＩＣカードの視聴度数がなくなったと判断したときは前記テレビを視聴不可状態にし、また、前記操作部により前記テレビの治療情報チャンネルが選択された場合には、前記ＩＣカードの前記メモリに治療情報が記録されているときは前記リーダーライタ部で読み取った前記治療情報、又は前記テレビ側に予め準備された治療情報のうち前記ＩＣカードの前記メモリに記録された前記ＩＤコードに基づいて選定した前記治療情報を前記テレビに出力するように制御する制御部とを備えることを特徴とする。
【０００６】
請求項２の発明は、請求項１に記載の医療用テレビ視聴システムにおいて、前記リモートコントローラの前記制御部は、前記操作部により前記テレビの宣伝広告情報チャンネルが選択された場合には、前記ＩＣカードの前記メモリに宣伝広告情報が記録されているときは前記リーダーライタ部で読み取った前記宣伝広告情報、又は前記テレビ側に予め準備された宣伝広告情報を前記テレビに出力するとともに、その宣伝広告情報の視聴に応じて前記ＩＣカードの前記メモリの視聴度数を前記リーダーライタ部により加算するように制御することを特徴とする。
【０００７】
請求項３の発明は、請求項１又は請求項２に記載の医療用テレビ視聴システムにおいて、前記ＩＣカードの前記メモリに、入院日、病名、服用薬、診察時間その他の診察情報を記録し、前記リモートコントローラの前記制御部は、前記操作部により前記テレビの診察情報チャンネルが選択された場合には、前記診察情報を前記リーダーライタ部で読み取って前記テレビに出力するように制御することを特徴とする。
【０００８】
【作用】
請求項１の発明においては、例えば病院の入院患者には、ＩＤコードを記録したＩＣカードを配布する。そして、例えば入院部屋でテレビを視聴しようとするときは、度数精算装置に金銭を投入するとともに、キーボードで希望の購入度数を入力すれば、その視聴度数及び累積購入度数がＩＣカードのメモリに記録される。そして、患者は、テレビと接続されたリモートコントローラにそのＩＣカードを装着すれば、ＩＣカードのメモリの視聴度数の範囲内でテレビを視聴できる。また、リモートコントローラに設けられた操作部でテレビの電源のオン／オフ、チャンネルの変更等を行うことが可能であり、さらにスピーカから音声を出力できるので、テレビの操作を簡便に行うことができ、スピーカを耳に当てて視聴すれば、回りの他の入院患者に迷惑をかけることも少ない。
【０００９】
テレビが視聴されたときは、ＩＣカードのメモリに記録された視聴度数が読み取られ、リモートコントローラの度数表示部に表示される。そして、テレビの視聴時間がカウントされるとともに、その視聴時間に応じて所定の度数減算率で視聴度数が減算される。ここで、ＩＣカードのリモートコントローラへの装着時にはＩＣカードのメモリに記録された累積購入度数が読み取られ、その累積購入度数に応じた度数減算率、すなわち累積購入度数が大きいほど、小さい度数減算率で視聴度数が減算される。また、ＩＣカードの視聴度数がなくなったときは、テレビの視聴が不可になる。
【００１０】
さらにまた、テレビは、食事療法を行う場合の制限食物に関する情報や介護情報等を視聴者に提供する治療情報チャンネルを有している。リモートコントローラでその治療情報チャンネルが選択されると、治療情報をテレビに出力する。ここで、ＩＣカードのメモリに治療情報を記録するようにしたときは、リモートコントローラのリーダーライタ部でその治療情報を読み取って、テレビに出力する。一方、ＩＣカードのメモリに治療情報を記録しないようにしたときは、テレビ側に予め治療情報を準備しておき、リモートコントローラがＩＣカードのＩＤコードを読み取って、このＩＤコードに基づいて適する治療情報を選定して、テレビに出力する。したがって、患者は、最適な治療情報をテレビで視聴することができる。
【００１１】
請求項２の発明においては、テレビは、病院内の売店情報やコマーシャル等を視聴者に提供する宣伝広告情報チャンネルを有している。リモートコントローラでその宣伝広告情報チャンネルが選択されると、宣伝広告情報がテレビに出力される。ここで、ＩＣカードのメモリに宣伝広告情報を記録するようにしたときは、リモートコントローラのリーダーライタ部でその宣伝広告情報を読み取って、テレビに出力する。一方、ＩＣカードのメモリに宣伝広告情報を記録しないようにしたときは、テレビ側に予め宣伝広告情報を準備しておき、その宣伝広告情報をテレビに出力する。また、宣伝広告情報を視聴したときは、その見返りとして、リモートコントローラのリーダライタ部でＩＣカードの視聴度数を所定度数だけ加算する。したがって、宣伝広告を患者等に伝達することができるとともに、宣伝広告の視聴率を高めることができる。
【００１２】
請求項３の発明においては、テレビは、診察時間等の情報を提供する診察情報チャンネルを有しており、ＩＣカードのメモリには、診察情報が記録されている。そして、リモートコントローラでその診察情報チャンネルが選択されたときは、リーダーライタ部でＩＣカードの診察情報が読み取られ、それがテレビに出力される。したがって、例えば自分の診察時間や薬の服用方法等を、テレビで確認することができる。
【００１３】
【発明の実施の形態】
以下、図面等を参照して、本発明の一実施形態について説明する。図１は、本発明による医療用テレビ視聴システムの一実施形態を示す概略構成図である。本発明による医療用テレビ視聴システム１０では、図１のＡ部に示すように、病院事務局側でＩＣカード１のメモリに患者固有のＩＤコードを記録してそのＩＣカード１を患者に配布する。患者は、図中、Ｂ部に示すように度数精算装置２０によりＩＣカード１にテレビ２の視聴度数等を記録してＩＣカード１をテレビ２で使用可能な状態にする。そして、図中、Ｃ部に示すように、患者は、入院部屋等に設置されたテレビ２を視聴するときは、テレビ２と接続ケーブルで接続されてテレビ２の遠隔操作が可能なリモートコントローラ３０にＩＣカード１を装着する。また、図中、Ｄ部に示すように、患者は、退院等によりＩＣカード１の視聴度数を精算するときは、度数精算装置２０により視聴度数の払い戻しを行う。
【００１４】
図１中、Ａ部において、病院事務局には、パソコン１１及びこのパソコン１１と電気的に接続されたＩＣカード１のリーダライタ１２を備えている。先ず、病院側では、入院患者に対し、ＩＣカード１を配布する。ＩＣカード１は、ＩＳＯ７８１６準拠のものであり、外形が５４ｍｍ×８５．６ｍｍ、厚みが０．７６ｍｍである。また、搭載されるＩＣモジュールは、マイコン及びメモリ（データメモリ）を有し、マイコンは、８ビットワンチップマイコン（ＣＰＵ、ＲＡＭ、ＲＯＭ）であり、メモリは、８ＫＢのＥＥＰＲＯＭである。また、ＩＣカード１のリーダライタ１２（以下のリーダーライタも同じ）との情報授受方式としては、接触型でも非接触型（密着型、近接型、近傍型、マイクロ波型又は光型）でも良い。
【００１５】
先ず、メモリが未記録であるＩＣカード１をリーダライタ１２に挿入し、パソコン１１から所定のデータをＩＣカード１のメモリに記録し、このＩＣカード１を患者に配布する。メモリに記録するデータとしては、患者固有のＩＤコード（カルテ番号等）の他に、治療情報、診察情報及び宣伝広告情報がある。治療情報としては、例えば食事療法が必要な患者に対する制限摂取食物の情報や、介護が必要な患者に対する介護の注意情報が挙げられる。また、診察情報としては、例えば入院日、病名、服用薬の内容や服用方法、診察時間、付添人の介護情報が挙げられる。さらに、宣伝広告情報としては、例えば病院内の売店情報やコマーシャルが挙げられる。
【００１６】
患者は、以上のデータが記録されたＩＣカード１を受け取り、テレビ２を視聴しようとするときは、病院内に設置された度数精算装置２０によりテレビ２の視聴度数を購入する。図２は、度数精算装置２０の一実施形態を示す外観斜視図である。
度数精算装置２０は、金銭投入口であるコイン投入口２１ａ及び紙幣投入口２１ｂ並びに金銭返却口２１ｃを有する金銭処理部２１と、希望の購入度数その他の度数精算条件（販売、返却等）を入力するためのキーボード２２と、ＩＣカード１の挿排出口２３ａを有し、ＩＣカード１のメモリにテレビ２の視聴度数等を記録するリーダーライタ部２３とを備える。なお、金銭処理部２１は、ＩＣカード１の視聴度数に相当する金銭額を払い戻す返却精算処理部を兼ね備えている。また、表示部２４は、投入した金銭額やキーボード２２で押した数字等を表示するものである。
【００１７】
使用者がＩＣカード１を挿排出口２３ａから挿入すると、ＩＣカード１はリーダーライタ部２３まで搬送される。そして、使用者は、コイン投入口２１ａ等から金銭を投入し、希望する購入度数をキーボード２２から入力する。ここで入力した購入度数や投入した金銭額等は、表示部２４により表示される。リーダーライタ部２３は、投入された金銭額及びキーボード２２から入力された購入度数に基づいてテレビ２の視聴度数をＩＣカード１のメモリに記録する。さらにリーダーライタ部２３は、過去の所定期間（例えば１月間）の累積購入度数をＩＣカード１のメモリに更新記録し、挿排出口２３ａからＩＣカード１を返却する。また、釣り銭があるときは、金銭返却口２１ｃから返却する。
【００１８】
一方、キーボード２２から視聴度数を返却する旨の情報が入力されたとき（返却ボタンが押されたとき）は、ＩＣカード１のメモリに記録された視聴度数をリーダーライタ部２３で読み取り、その視聴度数に相当する金銭額を金銭返却口２１ｃから払い戻す。
【００１９】
患者は、入院部屋等に設置されたテレビ２を視聴しようとするときは、テレビ２と接続されたリモートコントローラ３０に上述のＩＣカード１を挿入する。図３は、テレビ２及びリモートコントローラ３０の一実施形態を示す外観図であり、図４は、図３のリモートコントローラ３０のＡ−Ａ断面を示す断面図である。
【００２０】
リモートコントローラ３０の筐体の上面部には、操作部３１、スピーカ３２、度数表示部３３及び着脱ボタン３６が設けられている。操作部３１は、テレビの電源のオン／オフを行う電源スイッチ３１ａ、音量を調節するための音量調節スイッチ３１ｂ及びチャンネルの変更を行うチャンネル変更スイッチ３１ｃを有している。また、スピーカ３２は、テレビ２の音声を出力するものである。度数表示部３３は、挿入されたＩＣカード１の視聴度数をセブンセグメント表示するものである。着脱ボタン３６は、ＩＣカード１を着脱するときに使用するものである。
【００２１】
以上の操作部３１、スピーカ３２及び度数表示部３３の下側には、これらと電気的に接続された制御部（制御基板）３４が設けられている。そして、制御部３４に接続された接続ケーブル３０ａは、筐体外に延長されて、テレビ２に接続されている。この接続ケーブル３０ａにより、操作部３１の信号をテレビ２に送信するとともに、また、テレビ２からの音声信号を受信してスピーカ３２から出力可能に構成されている。なお、リモートコントローラ３０は、携帯電話機程度の大きさであり、スピーカ３２を耳に当てれば、テレビ２の音声を聞くことができる。
【００２２】
制御部３４の下側には、制御部３４により動作が制御されるリーダーライタ部３５が設けられている。リーダーライタ部３５は、ＩＣカード１の挿排出口３５ａを有し、挿排出口３５ａから挿入されたＩＣカード１のメモリに記録された視聴度数の読み取り及び書き換えを行うものである。ＩＣカード１の挿排出口３５ａは、リモートコントローラ３０の筐体の側面部に設けられている。
また、挿排出口３５ａから挿入されたＩＣカード１は、着脱ボタン３６をロック側にするとリモートコントローラ３０内に固定され、解除側にするとリモートコントローラ３０外に排出される。
【００２３】
リモートコントローラ３０の挿排出口３５ａにＩＣカード１が挿入されると、制御部３４は、リーダーライタ部３５でＩＣカード１のメモリに記録されたテレビ２の視聴度数及び累積購入度数を読み取る。制御部３４は、視聴度数がないと判別したときは、操作部３１の機能を働かせないように制御する。一方、視聴度数があるときは、有効なＩＣカード１が挿入されたと判別し、テレビ２を視聴可能状態にする。また、その視聴度数を度数表示部３３に表示する。
【００２４】
リモートコントローラ３０の電源スイッチ３１ａがオンにされたときは、その信号をテレビ２側に送信して、テレビ２の電源を投入する。また、音量調節スイッチ３１ｂやチャンネル変更スイッチ３１ｃが操作されたときも同様に、その信号をテレビ２側に送信し、テレビ２のチャンネルの変更等を行う。また、スピーカ３２からテレビ２の音声を出力する。
【００２５】
さらにまた、テレビ２の電源がオンにされたときは、制御部３４は、テレビ２の電源がオンになっている間（視聴されている間）の視聴時間をカウントする。そして、テレビ２の視聴時間に応じて、ＩＣカード１のメモリ内の視聴度数の精算処理を行う。すなわち、メモリ内の視聴度数から一定時間経過後ごとに視聴度数を減算してリーダーライタ部３５により更新し、かつその視聴度数を度数表示部３３に表示する。なお、一定時間経過後ごとにＩＣカード１のメモリ内の視聴度数を書き換えるのではなく、リモートコントローラ３０からＩＣカード１を排出するときに一括で書き換えるようにしても良い。
【００２６】
また、制御部３４は、リーダーライタ部３５により読み取ったＩＣカード１の累積購入度数に基づいて、度数減算率を設定する。例えば、累積購入度数が所定値を超えている場合には、通常の度数減算率より低い減算率に設定する。これにより、例えば通常の度数減算率では、１分間の視聴ごとに１度数づつ減算するのに対し、累積購入度数が多い場合には、１分３０秒の視聴ごとに１度数づつ減算するように制御する。このように度数減算率に差を設けることで、長期入院患者や多時間視聴者を優遇することができる。
【００２７】
制御部３４は、ＩＣカード１の視聴度数がなくなったと判断したときは、テレビ２を視聴不可状態にし、リモートコントローラ３０の挿排出口３５ａからＩＣカード１を強制的に排出するように制御する。また、テレビ２の視聴をやめるときは、リモートコントローラ３０の着脱ボタン３６を解除側にすることにより、ＩＣカード１が排出されると同時に、テレビ２の電源がオフになる。
【００２８】
ところで、テレビ２は、民間放送チャンネルの他、治療情報放送チャンネル、宣伝広告情報チャンネル及び診察情報チャンネルを有している。これらのチャンネルを選択することにより、ＩＣカード１のメモリに記録した治療情報、宣伝広告情報及び診察情報をテレビに出力可能である。
例えば、リモートコントローラ３０で治療情報チャンネルが選択されたときは、制御部３４は、リモートコントローラ３０のリーダーライタ部３５でＩＣカード１のメモリ内の治療情報を読み取ってテレビ２側に送信し、テレビ２に出力する。また、宣伝広告情報及び診察情報についても同様である。
【００２９】
さらにまた、患者が宣伝広告情報を視聴したときは、その見返りとして、視聴時間等に応じて、リモートコントローラ３０のリーダライタ部３５でＩＣカード１の視聴度数を所定度数だけ加算する。このようにすれば、宣伝広告情報の視聴率を高めることができる。
【００３０】
患者が退院時にＩＣカード１の視聴度数を精算するときは、上述の度数精算装置２０にＩＣカード１を挿入し、キーボード２２の返却ボタンを押せば良い。これにより、ＩＣカード１のメモリの残り視聴度数が読み取られ、その視聴度数に相当する金銭額が払い戻される。この場合に、度数精算装置２０は、精算後のＩＣカード１を回収する。
【００３１】
以上、本発明の一実施形態について説明したが、本発明は、上述した実施形態に限定されることなく、以下のような種々の変形が可能である。
（１）実施形態では、ＩＣカード１のＩＣモジュールは、マイコン（ＣＰＵ）を内蔵するものを用いたが、メモリのみを内蔵するＩＣモジュールであっても良い。そして、本実施形態では、リモートコントローラ３０の制御部３４が視聴度数の加減算等の演算処理を行うようにしたが、ＩＣカード１のＩＣモジュールがＣＰＵを有するときは、このＣＰＵが視聴度数の加減算等を含む種々の演算処理を行うようにしても良い。
【００３２】
（２）治療情報、宣伝広告情報及び診察情報は、ＩＣカード１のメモリに記録したが、これに限らず、テレビ２側に予め治療情報等を準備しておき、これらのチャンネルが選択されたときは、その画像や音声をテレビ２に出力するようにしても良い。この場合に、治療情報チャンネルが選択されたときは、リモートコントローラ３０のリーダーライタ部３５でＩＣカード１のメモリのＩＤコードを読み取り、このＩＤコードに基づいて最適な治療情報を選定して、テレビ２に出力すれば良い。
【００３３】
【発明の効果】
請求項１の発明によれば、ＩＣカード及びリモートコントローラを用いてテレビの視聴が可能になるとともに、累積購入度数に応じて度数減算率に差を設け、累積購入度数が多いほどより長くテレビを視聴することができるようにしたので、長期入院患者や多時間視聴者を優遇することができる。
また、以上のシステムで治療情報チャンネルを選択できるので、患者は、最適な治療情報をテレビで視聴することができる。
【００３４】
請求項２の発明によれば、宣伝広告情報を患者等に伝達することができるとともに、宣伝広告情報チャンネルの視聴率を高めることができる。
請求項３の発明によれば、診察時間や薬の服用方法等を、テレビで確認することができる。
【図面の簡単な説明】
【図１】本発明による医療用テレビ視聴システムの一実施形態を示す概略構成図である。
【図２】度数精算装置の一実施形態を示す外観斜視図である。
【図３】テレビ及びリモートコントローラの一実施形態を示す外観図である。
【図４】図３のリモートコントローラのＡ−Ａ断面を示す断面図である。
【符号の説明】
１  ＩＣカード
２  テレビ
１０  医療用テレビ視聴システム
２０  度数精算装置
２１  金銭処理部（返却精算処理部）
２１ａ  コイン投入口
２１ｂ  紙幣投入口
２１ｃ  金銭返却口
２２  キーボード
２３  リーダーライタ部
２３ａ  挿排出口
２４  表示部
３０  リモートコントローラ
３０ａ  接続ケーブル
３１  操作部
３１ａ  電源スイッチ
３１ｂ  音量調節スイッチ
３１ｃ  チャンネル変更スイッチ
３２  スピーカ
３３  度数表示部
３４  制御部
３５  リーダーライタ部
３５ａ  挿排出口
３６  着脱ボタン
【図１】
0003560810.tif 000002
【図２】
0003560810.tif 000003
【図３】
0003560810.tif 000004
【図４】
0003560810.tif 000005